(57)【要約】【課題】  販売期間が設定された商品の購入機会をのがすことを防止できる販売店案内システムを提供する。【解決手段】  制御回路１は、メッシュ情報要求信号を外部局２０へ送信することによって、外部局２０からメッシュ情報を受信する（ステップＳ１、ステップＳ２）。そして、メッシュ情報を受信した制御回路１は、案内経路Ｒを含むメッシュ範囲を示す情報である経路メッシュ情報を算出すると共に、この経路メッシュ情報を外部局２０へ送信する（ステップＳ３、ステップＳ４）。更に、制御回路１は、外部局２０からの販売店情報を受信すると、その販売店情報を案内経路Ｒと共に表示装置７に表示する。【選択図】        図３
2005241379.tif 000002
【特許請求の範囲】
【請求項１】
車両と外部局とが通信接続された販売店案内システムであって、
前記車両は、
前記外部局との通信を行う車載通信手段と、
目的地を設定する目的地設定手段と、
前記車両の現在位置を検出する現在位置検出手段と、
道路地図に関する地図データを記憶する地図データ記憶手段と、
前記現在位置から当該目的地までの経路を設定すると共に、当該経路に関する経路情報を前記外部局へ送信する車載制御手段とを備え、
前記外部局は、
前記車両との通信を行う外部局通信手段と、
販売期間が設定された商品の情報と、当該商品を販売している販売店の位置情報を含む販売店情報を保持する情報保持手段と、
前記経路情報に基づいて前記販売店情報を検索し、当該販売店情報を前記車両へ送信する外部局制御手段とを備え、
前記車載制御手段は、前記販売店情報を受信すると当該販売店情報を報知することを特徴とする販売店案内システム。
【請求項２】
前記車両は、前記地図データを表示する表示手段を備え、前記車載制御手段は、前記販売店情報を受信すると前記表示手段に前記現在位置から前記目的地までの経路の地図データと共に、前記販売店情報に対応する販売店の位置を表す情報を表示することを特徴とする請求項１に記載の販売店案内システム。
【請求項３】
前記車両は、前記販売店の位置を表す情報を指示する指示手段を備え、前記車載制御手段は当該販売店の位置を表す情報が指示されると当該販売店の商品の情報を前記表示手段に表示することを特徴とする請求項２に記載の販売店案内システム。
【請求項４】
前記指示手段は、前記販売店の位置を表す情報が指示されると当該販売店の位置を表す情報に対応する販売店を通過地点として設定する通過地点設定手段を備え、前記車載制御手段は、前記販売店が通過地点として設定されると当該販売店を含む経路を設定することを特徴とする請求項３に記載の販売店案内システム。
【請求項５】
前記販売店情報には、商品のジャンル、値段、割引率を含むことを特徴とする請求項１乃至請求項４のいずれかに記載の販売店案内システム。
【請求項６】
前記販売店情報は、前記情報保持手段において、道路地図を一定の大きさに分割したメッシュ毎に分類して保持され、前記経路に対して所定の位置関係を有するメッシュに属する販売店情報が、前記検索により抽出されることを特徴とする請求項１乃至請求項５のいずれかに記載の販売店案内システム。
【請求項７】
前記外部局は、前記メッシュの原点と一つのメッシュの縦横の大きさとを含むメッシュ情報を記憶したメッシュ情報記憶手段を備え、前記外部局制御手段は、前記車両からの要求に応じて当該メッシュ情報を前記車載制御手段へ送信するものであり、前記車載制御手段は、前記経路を設定すると前記外部局へ前記メッシュ情報の送信を要求するリクエスト信号を送信するリクエスト信号送信手段と、前記メッシュ情報を受信すると前記経路を含むメッシュを示す経路メッシュ情報を算出すると共に、当該経路メッシュ情報を前記経路情報として前記外部局へ送信する経路メッシュ情報算出手段とを備え、前記外部局制御手段は、前記経路メッシュ情報を受信すると当該経路メッシュ情報が示すメッシュに属する販売店情報を検出し、当該販売店情報を前記車両へ送信することを特徴とする請求項６に記載の販売店案内システム。
【請求項８】
前記地図データ記憶手段は、前記メッシュを記憶しており、前記車載制御手段は、前記経路を設定すると当該経路を含むメッシュを示す経路メッシュ情報を算出すると共に、当該経路メッシュ情報を前記経路情報として前記外部局へ送信するものであり、前記外部局制御手段は、前記経路メッシュ情報を受信すると当該経路メッシュ情報が示すメッシュに属する販売店情報を検出し、当該販売店情報を前記車両へ送信することを特徴とする請求項６に記載の販売店案内システム。
【請求項９】
前記外部局は、前記複数の販売店と通信接続されており、当該販売店は前記販売店情報を送信する販売店通信手段を備えることを特徴とする請求項１乃至請求項９のいずれかに記載の販売店案内システム。
【発明の詳細な説明】
【技術分野】
【０００１】
本発明は、販売店案内システムに関するものである。
【背景技術】
【０００２】
従来、販売店への案内を行うシステムとして特許文献１に記載する販売店案内システムがあった。
【０００３】
特許文献１における販売店案内システムは、店舗サーバ、商品情報管理サーバ、ナビゲーション装置から構成される。商品情報管理サーバは、販売店毎に用意された店舗サーバから送信される商品の価格や在庫の有無などに関する商品管理情報を有しており、ナビゲーション装置から購入したい商品を特定する商品特定情報を受信すると、その商品の購入が可能な販売店に関する販売店情報をナビゲーション装置へ送信する。そして、販売店情報を受信したナビゲーション装置では、その販売店の位置を地図上に表示することによって販売店を案内する。
【特許文献１】特開２００３−１６３５１号公報
【発明の開示】
【発明が解決しようとする課題】
【０００４】
しかしながら、上記の特許文献１に記載の販売店案内システムは、ユーザが購入しようとしている商品を販売している販売店を案内するものにすぎない。商品には通常の価格よりも安価で販売されている特売品などもあり、その時点では特に必要ないものであっても、後々のために特売品を購入しておく方が賢明である場合もある。ところが、通常このような特売品に関しては商品の販売期間が設定されている場合が多く、特売品の対象となっている商品を購入しようと思っていない時などは、購入の機会を逃がしてしまうことがあった。
【０００５】
本発明は、上記問題点に鑑みなされたものであり、販売期間が設定された商品の購入機会をのがすことを防止できる販売店案内システムを提供することを目的とする。
【課題を解決するための手段】
【０００６】
上記目的を達成するために請求項１に記載の販売店案内システムは、車両と外部局とが通信接続された販売店案内システムであって、車両は外部局との通信を行う車載通信手段と、目的地を設定する目的地設定手段と、車両の現在位置を検出する現在位置検出手段と、道路地図に関する地図データを記憶する地図データ記憶手段と、現在位置から目的地までの経路を設定すると共に、経路に関する経路情報を外部局へ送信する車載制御手段とを備え、外部局は車両との通信を行う外部局通信手段と、販売期間が設定された商品の情報と、商品を販売している販売店の位置情報を含む販売店情報を保持する情報保持手段と、経路情報に基づいて販売店情報を検索し、販売店情報を車両へ送信する外部局制御手段とを備え、車載制御手段は販売店情報を受信すると販売店情報を報知することを特徴とするものである。
【０００７】
このように、現在位置から目的地までの経路に関する経路情報を外部局へ送信すると、外部局から経路情報に基づいた販売店情報を車両へ送信し、車載制御手段にて販売店情報を受信すると販売店情報を報知するので、販売期間が設定された商品の購入機会をのがすことを防止できる
また、請求項２に記載の販売店案内システムでは、車両は地図データを表示する表示手段を備え、車載制御手段は販売店情報を受信すると表示手段に現在位置から目的地までの経路の地図データと共に、販売店情報に対応する販売店の位置を表す情報を表示することを特徴とするものである。
【０００８】
このように、販売店情報に対応する販売店の位置を表す情報を現在位置から目的地までの経路の地図データと共に表示することによって、案内経路と販売店の位置が把握でき、その販売店に立ち寄るか否かの判断を容易にすることができる。
【０００９】
また、請求項３に記載の販売店案内システムでは、車両は販売店の位置を表す情報を指示する指示手段を備え、車載制御手段は販売店の位置を表す情報が指示されると販売店の商品の情報を表示手段に表示することを特徴とするものである。
【００１０】
販売店情報に含まれる情報を案内経路と共に表示することによって、案内経路の視認性を低下させる可能性がある。しかしながら、請求項３に記載のように販売店の位置を表す情報を指示すると販売店の商品の情報を表示手段に表示するので、案内経路の視認性を低下させることなく、販売店情報を見ることができる。
【００１１】
また、請求項４に記載の販売店案内システムでは、指示手段は販売店の位置を表す情報が指示されると販売店の位置を表す情報に対応する販売店を通過地点として設定する通過地点設定手段を備え、車載制御手段は販売店が通過地点として設定されると販売店を含む経路を設定することを特徴とするものである。
【００１２】
このように、販売店の位置を表す情報が指示されると、その情報に対応する販売店が通過地点として設定されるので、販売店までの経路が分からない場合でも簡単に経路を把握することができる。
【００１３】
また、請求項５に記載の販売店案内システムでは、販売店情報には、商品のジャンル、値段、割引率を含むことを特徴とするものである。
【００１４】
例えば、販売店情報が複数箇所にあった場合などにおいても、請求項５に示すように販売店情報に、商品のジャンル、値段、割引率を含むことによって、立ち寄る販売店を選択することができる。
【００１５】
また、請求項６に記載の販売店案内システムでは、販売店情報は情報保持手段において、道路地図を一定の大きさに分割したメッシュ毎に分類して保持され、経路に対して所定の位置関係を有するメッシュに属する販売店情報が、検索により抽出されることを特徴とするものである。このように、販売店情報をメッシュと対応付けておくことによって、経路情報に基づいた販売店情報の検索を容易にすることができる。
【００１６】
また、請求項７に記載の販売店案内システムでは、外部局はメッシュの原点と一つのメッシュの縦横の大きさとを含むメッシュ情報を記憶したメッシュ情報記憶手段を備え、外部局制御手段は車両からの要求に応じてメッシュ情報を車載制御手段へ送信するものであり、車載制御手段は経路を設定すると外部局へメッシュ情報の送信を要求するリクエスト信号を送信するリクエスト信号送信手段と、メッシュ情報を受信すると経路を含むメッシュを示す経路メッシュ情報を算出すると共に、経路メッシュ情報を経路情報として外部局へ送信する経路メッシュ情報算出手段とを備え、外部局制御手段は経路メッシュ情報を受信すると経路メッシュ情報が示すメッシュに属する販売店情報を検出し、販売店情報を車両へ送信することを特徴とするものである。
【００１７】
このように、リクエスト信号、メッシュ情報、経路メッシュ情報を用いることによって販売店情報を車両へ送信することができる。更に、リクエスト信号、メッシュ情報、経路メッシュ情報などは、情報量が小さいため、販売店情報を車両へ送信するまでの時間を短縮することができる。
【００１８】
また、請求項８に記載の販売店案内システムでは、地図データ記憶手段はメッシュを記憶しており、車載制御手段は経路を設定すると経路を含むメッシュを示す経路メッシュ情報を算出すると共に、経路メッシュ情報を経路情報として外部局へ送信するものであり、外部局制御手段は経路メッシュ情報を受信すると経路メッシュ情報が示すメッシュに属する販売店情報を検出し、販売店情報を前記車両へ送信することを特徴とするものである。
【００１９】
このように、車両の地図データ記憶手段にメッシュを記憶させておくことによって、車載制御手段は一回の送受信にて販売店情報を受信することができる。
【００２０】
また、請求項９に記載の販売店案内システムでは、外部局は複数の販売店と通信接続されており、販売店は販売店情報を送信する販売店通信手段を備えることを特徴とするものである。
【００２１】
このように、外部局は販売店情報を送信する販売店通信手段を備えた販売店と通信接続
されていることによって、販売店情報をリアルタイムに更新することができる。
【発明を実施するための最良の形態】
【００２２】
以下、本発明の実施の形態を図に基づいて説明する。本実施の形態では、本発明の販売店案内システムを車両に設けられたナビゲーション装置１０と外部局２０との通信システムに適用した例について説明する。
【００２３】
図１は本実施の形態におけるナビゲーション装置１０の概略構成を示すブロック図である。図２は本発明の実施の形態における販売店案内システムの概略構成を示す説明図である。
【００２４】
本実施の形態におけるナビゲーション装置１０は、制御回路１、位置検出器２、ＧＰＳ受信機２ａ、ジャイロスコープ２ｂ、距離センサ２ｃ、地磁気センサ２ｄ、地図データ入力器３、操作デバイス４、送受信機５、外部メモリ６、表示装置７、リモコンセンサ８、リモコン９を備える。
【００２５】
ナビゲーション装置１０全体の制御を行う制御回路１は、マイクロコンピュータを主体として構成されるもので、ＲＯＭやＲＡＭなどのメモリやインターフェース回路あるいはデータ転送用のバスラインを備えている。
【００２６】
位置検出器２は、自車両の現在位置を検出するための装置として、例えばＧＰＳ（Global Positioning System）受信機２ａ、ジャイロスコープ２ｂ、距離センサ２ｃ、地磁気センサ２ｄなどの各種センサを備える。検出した現在位置は制御回路１に入力される。
【００２７】
なお、これらのセンサ２ａ〜２ｄは、それぞれが性質の異なる検出誤差を有するので、互いに検出誤差を補完しながら精度の高い位置検出を行うようになっている。また、要求される検出精度のレベルによっては、全てのセンサ２ａ〜２ｄを備える必要はなく、必要なものを適宜選択して設ける構成とすることができる。
【００２８】
地図データ入力器３は、地図データ、目印データ、背景データ等の各種データを記憶する記憶媒体などを備える。この記憶媒体としては、データの容量や取扱上の点から、ＣＤ−ＲＯＭやＤＶＤ−ＲＯＭなどを用いることが一般的に行なわれるが、メモリカードを用いるようにしても良い。
【００２９】
操作デバイス４は、ナビゲーション装置１０が実行する現在位置から目的地までの案内経路Ｒの設定などの機能に対応付けられた操作信号を制御回路１に入力するためのものである。この操作デバイス４は、表示装置７と一体に構成され表示画面上に設定されるタッチスイッチ、もしくは表示装置７の周囲に設けられたメカニカルなキースイッチ等を備える。
【００３０】
送受信機５は、外部局２０との通信に用いるものであり、送信部、変調部、復調部、受信部などを備える。送受信機５は制御回路１から出力された信号を変調部にて変調して送信部にて電波に乗せて外部局に送信する。また、外部局２０から電波が送信される場合、送受信機５は受信部にて受信した電波を復調部にて復調して復調した信号を制御回路２に入力する。
【００３１】
なお、制御回路１が送受信機５に出力する信号には、メッシュ情報要求信号や経路メッシュ情報などが含まれる。また、送受信機５にて受信する信号（電波）には、メッシュ情報や販売店情報などが含まれる。なお、メッシュ情報要求信号、経路メッシュ情報、メッシュ情報、販売店情報に関しては後ほど詳しく説明する。
【００３２】
外部メモリ６は、制御回路１内で取り扱うデータなどを必要に応じて記憶しておくためのもので、例えばＥＥＰＲＯＭなどの不揮発性メモリユニットやＩＣカードなどの記憶可能なものを用いる。
【００３３】
表示装置７は、カラー液晶パネルなどにより構成される。この表示装置７は地図データ入力器３に記憶されている地図データなどによって生成される車両周辺の道路地図などを表示する。
【００３４】
リモコンセンサ８は、操作デバイス４の代わりに操作信号を制御回路１に入力するためのものであり、リモコン９からの赤外線信号を受信してこれを電気信号に変換して制御回路１に入力する。
【００３５】
次に、外部局２０について図２に基づいて説明する。本実施の形態における外部局２０は、制御部２１、販売店情報ＤＢ２２、メッシュ情報ＤＢ２３、送受信機２４を備えており、複数の販売店と通信接続されている。なお、外部局と各販売店との通信は、有線通信でも良いし無線通信でも良い。
【００３６】
制御部２１は、外部局２０全体の制御を行うものであり、マイクロコンピュータを主体として構成されるもので、ＲＯＭやＲＡＭなどのメモリやインターフェース回路あるいはデータ転送用のバスラインを備えている。
【００３７】
販売店情報ＤＢ２２は、各販売店のジャンル、販売店名、位置（緯度、経度）、住所、電話番号、特売品情報、施設情報などの販売店情報が格納されている。特売品情報とは、販売期間が設定された商品に関する情報であり、その商品名、値段、販売期間、割引率などの情報である。また、施設情報とは、販売店の面積、駐車場の有無、建物の階数などの情報である。
【００３８】
この販売店情報ＤＢ２２に格納されている特売品情報は各販売店から送信されてくる情報である。各販売店はパーソナルコンピュータ、送受信装置などを備え、特売品を売り出す場合、その特売品情報をパーソナルコンピュータから送受信装置を介して外部局２０の制御部２１に送信する。また、制御部２１は、特売品情報中の販売期間を常に監視しており、販売期間が過ぎた特売品情報を削除する。従って、特売品を売り出していない販売店の特売品情報は空欄となっている。
【００３９】
メッシュ情報ＤＢ２３は、道路地図を一定の大きさのメッシュに分割し、そのメッシュの原点の位置（緯度、経度）に関する情報、一つのメッシュの縦横の大きさに関する情報、各メッシュの範囲に存在する販売店の識別情報などが格納されている。
【００４０】
なお、このメッシュ情報ＤＢ２３に格納されている情報のうちの、メッシュの原点の位置（緯度、経度）に関する情報、一つのメッシュの縦横の大きさに関する情報がメッシュ情報である。このメッシュ情報は、制御部２１にてナビゲーション装置１０の制御回路１が設定した案内経路Ｒを判定するための情報である。
【００４１】
そして、このメッシュ情報の送信を外部局２０（制御部２１）に要求する信号がメッシュ情報要求信号である。また、ナビゲーション装置１０（制御回路１）が案内経路Ｒを外部局２０（制御部２１）に通知するための情報が経路メッシュ情報であり、この経路メッシュ情報は案内経路Ｒを含むメッシュ範囲を示す情報である。なお、メッシュ情報ＤＢ２３に格納されている販売店の識別情報と販売店情報ＤＢ２２に格納されている販売店情報とはリンクされている。
【００４２】
送受信機２４は、ナビゲーション装置１０との通信に用いるものであり、送信部、変調部、復調部、受信部などを備える。送受信機２４は制御部２１から出力された信号を変調部にて変調して送信部にて電波に乗せて外部局に送信する。また、ナビゲーション装置１０から電波が送信される場合、送受信機２４は受信部にて受信した電波を復調部にて復調して復調した信号を制御回路２に入力する。
【００４３】
なお、制御部２１が送受信機２４に出力する信号には、メッシュ情報や販売店情報などが含まれる。また、送受信機２４にて受信する信号（電波）には、メッシュ情報要求信号や経路メッシュ情報などが含まれる。
【００４４】
ここで、本実施の形態における販売店案内システムの処理動作について説明する。図３は本発明の実施の形態におけるナビゲーション装置１０の処理動作を示すフロー図である。図４は本発明の実施の形態における外部局２０の処理動作を示すフロー図である。図５は本発明の実施の形態における経路メッシュ情報を説明する説明図である。
【００４５】
図３に示すナビゲーション装置１０の処理動作は、制御回路１にて案内経路Ｒが設定されるとスタートする。図４に示す外部局２０の処理動作は、ナビゲーション装置１０からメッシュ情報要求信号を受信するとスタートする。
【００４６】
図３に示すステップＳ１では、ナビゲーション装置１０の制御回路１は、案内経路Ｒを外部局２０へ通知するためにメッシュ情報要求信号を送受信機５を介して外部局２０へ送信することによってメッシュ情報を要求する。
【００４７】
一方、図４に示すステップＳ１１では、外部局２０の制御部２１は、送受信機２４を介して制御回路１からメッシュ情報要求信号を受信すると、メッシュ情報ＤＢ２３に格納しているメッシュ情報を送受信機２４を介して制御回路１へ送信する。
【００４８】
そして図３に示すステップＳ２では、制御回路１は、送受信機５から入力される信号の有無によって外部局２０からの電波の受信があったか否かを判定する。送受信機５から信号が入力され電波を受信したと判断した場合はステップＳ３へ進み、送受信機５から信号が入力されてなく電波を受信してないと判断した場合はステップＳ２での判定を繰り返す。なお、ステップＳ２での判定が所定時間継続して行われる場合は、メッシュ情報要求信号が正常に外部局２０へ送信されていないと判断し、ステップＳ１へ戻るようにしてもよい。
【００４９】
図３に示すステップＳ３では、制御回路１は、経路メッシュ情報を算出する。ここで経路メッシュ情報の算出について図５を用いて説明する。まず、制御回路１は外部局２０からメッシュ情報を受信すると、そのメッシュ情報のどこに案内経路Ｒが含まれるかを算出する。
【００５０】
例えば、制御回路１は図５に示すように案内経路Ｒを設定した場合、受信したメッシュ情報を用いて案内経路Ｒを含むメッシュ範囲Ｍ１を算出し、更に、このメッシュ範囲Ｍ１と隣接メッシュ範囲Ｍ２を算出する。そして、制御回路１は、算出したメッシュ範囲Ｍ２がメッシュの原点の位置から縦・横それぞれ何番目のメッシュから構成されるかを示す情報を算出し、この情報を経路メッシュ情報とする。
【００５１】
なお、経路メッシュ情報としては、案内経路Ｒを含むメッシュ範囲Ｍ１を示す情報であっても良いが、より多くの販売店情報を得るためには上述のようにメッシュ範囲Ｍ２を示す情報を経路メッシュ情報とするのがよい。
【００５２】
図３に示すステップＳ４では、制御回路１はステップＳ３で算出した経路メッシュ情報を送受信機５を介して外部局２０へ送信する。
【００５３】
そして図４に示すステップＳ１２では、制御部２１は、送受信機２４から入力される信号の有無によってナビゲーション装置１０からの経路メッシュ情報（電波）を確認する。
【００５４】
図４に示すステップＳ１３では、制御部２１は、送受信機２４から信号が入力され経路メッシュ情報（電波）を受信したと判断した場合はステップＳ１４へ進み、送受信機２４から信号が入力されてなく経路メッシュ情報（電波）を受信してないと判断した場合はステップＳ１３での判定を繰り返す。なお、ステップＳ１３での判定が所定時間継続して行われる場合は、メッシュ情報が正常にナビゲーション装置１０へ送信されていないと判断し、ステップＳ１１へ戻るようにしてもよい。
【００５５】
図４に示すステップＳ１４では、制御部２１は、販売店情報ＤＢ２２を確認して、受信した経路メッシュ情報に対応するメッシュの範囲に存在する販売店の識別情報とリンクされている販売店情報から特売品情報が格納されている販売店情報を検索する。そして図４に示すステップＳ１５では、制御部２１は、検索された販売店情報を送受信機２４を介して制御回路１へ送信する。もし、経路メッシュ情報に対応するメッシュの範囲に、販売店情報、もしくは特売品情報を含む販売店情報がない場合は、特売品情報が無いことを示す情報を販売店情報とする。
【００５６】
図３に示すステップＳ５では、制御回路１は、送受信機５から入力される信号の有無によって外部局２０からの販売店情報（電波）を確認する。
【００５７】
図３に示すステップＳ６では、制御回路１は、送受信機５から信号が入力され販売店情報（電波）を受信したと判断した場合はステップＳ７へ進み、送受信機５から信号が入力されてなく販売店情報（電波）を受信してないと判断した場合はステップＳ６での判定を繰り返す。なお、ステップＳ６での判定が所定時間継続して行われる場合は、経路メッシュ情報が正常に外部局２０へ送信されていないと判断し、ステップＳ４へ戻るようにしてもよい。図３に示すステップＳ７では、制御回路１は、案内経路Ｒと共に販売店情報を表示装置７に表示する。
【００５８】
なお、販売店情報の代わりに販売店の位置を表す情報として商品名や販売店名のみを案内経路Ｒと共に表示装置７へ表示させ、操作デバイス４にて商品名や販売店名が指示されると、指示された商品名や販売店名に対応する販売店情報の詳細表示を示す操作信号が制御回路１に入力されるようにしてもよい。販売店情報の詳細表示を示す操作信号が入力された制御回路１は、販売店のジャンル、販売店名、位置（緯度、経度）、住所、電話番号、特売品情報、施設情報などを表示装置７へ表示する。
【００５９】
また、表示装置７に表示された販売店情報や商品名や販売店名が操作デバイス４にて指示されると、指示された販売店情報などに対応する販売店を通過地点とすることを示す操作信号が制御回路１に入力されるようにしてもよい。通過地点とすることを示す操作信号が入力された制御回路１は、現在位置から販売店を経由して目的地まで行く経路を再設定する。
【００６０】
また、地図データ入力器３の地図データを一定の大きさのメッシュに分割して記憶しておいてもよい。この場合、制御回路１は案内経路Ｒを設定すると、その案内経路Ｒを含むメッシュの原点の位置（緯度、経度）に関する情報、一つのメッシュの縦横の大きさに関する情報などを送受信機５を介して外部局２０へ送信する。
【００６１】
この制御回路１から送信された案内経路Ｒを含むメッシュに関する情報を受信した制御部２１は、メッシュ情報ＤＢ２３を確認して、受信したメッシュを含むメッシュの範囲に存在する販売店の識別情報を検出する。そして、制御部２１は、販売店情報ＤＢ２２を確認して、販売店の識別情報にリンクされている販売店情報を検索し、検索された販売店情報を送受信機２４を介して制御回路１へ送信する。
【００６２】
また、メッシュ情報要求信号、経路メッシュ情報、メッシュ情報を用いる代わりに、案内経路Ｒを示す情報を用いてもよい。この場合、制御回路１は、案内経路Ｒを設定すると案内経路Ｒを示す情報（複数の道路が交差、合流、分岐する地点に関するノードデータ、その地点間を結ぶ道路に関するリンクデータなど）を送受信機５を介して外部局２０へ送信することによってメッシュ情報を要求する。この案内経路Ｒを示す情報を送受信機２４を介して受信した外部局２０は、案内経路Ｒから所定範囲ないに存在する販売店情報を送受信機２４を介してナビゲーション装置１０へ送信する。
【図面の簡単な説明】
【００６３】
【図１】本発明の実施の形態におけるナビゲーション装置１０の概略構成を示すブロック図である。
【図２】本発明の実施の形態における販売店案内システムの概略構成を示す説明図である。
【図３】本発明の実施の形態におけるナビゲーション装置１０の処理動作を示すフロー図である。
【図４】本発明の実施の形態における外部局２０の処理動作を示すフロー図である。
【図５】本発明の実施の形態における経路メッシュ情報を説明する説明図である。
【符号の説明】
【００６４】
１  制御回路、２  位置検出器、３  地図データ入力器、４  操作デバイス、５  送受信機、６  外部メモリ、７  表示装置、８  リモコンセンサ、９  リモコン、１０  ナビゲーション装置、２０  外部局、２１  制御部、２２  販売店情報ＤＢ、２３  メッシュ情報ＤＢ、２４  送受信機、Ｒ  案内経路、Ｍ１  案内経路Ｒを含むメッシュ範囲、Ｍ２  Ｍ１と隣接メッシュ範囲
【図１】
2005241379.tif 000003
【図２】
2005241379.tif 000004
【図３】
2005241379.tif 000005
【図４】
2005241379.tif 000006
【図５】
2005241379.tif 000007